(57)【要約】第１の端部における先端部（６）と、反対側の第２の端部においてねじ回しと係合するためのヘッド（８）とを有するねじ山部分（１）を有する骨ねじが生成され、それは骨の破損または分離した部分を互いに接続する牽引素子の働きをする。ねじと骨との融合が起こり得るように、ねじ山部分（１）は管状に構成され、その壁は複数の窪みを有する。
2004512895.tif 000002
【特許請求の範囲】
【請求項１】
管として構成されるねじ山部分（１）と、第１の端部における先端部（６、１２）と、反対側の第２の端部においてねじ回しと係合するためのヘッド（８）とを有する骨ねじであって、ねじ山部分（１）の壁は複数の窪み（２、３）を有し、管状のねじ山部分（１）がその外壁における骨ねじ山（４）と、少なくとも一方端においてヘッド（８）または先端部（６、１２）をねじ込むための内側ねじ山部分とを有することを特徴とする、骨ねじ。
【請求項２】
前記内側ねじ山部分はメートルねじ山（５）として構成されることを特徴とする、請求項１に記載の骨ねじ。
【請求項３】
前記先端部（１２）は自己切削先端部として構成されることを特徴とする、請求項１または２に記載の骨ねじ。
【請求項４】
前記内側ねじ山はねじ山部分（１）の全体の長さにわたって延在することを特徴とする、請求項１から３のいずれかに記載の骨ねじ。
【請求項５】
管として構成されるねじ山部分（１）と、第１の端部における先端部（１２）と、反対側の第２の端部においてねじ回しと係合するためのヘッド（８）とを有する骨ねじであって、ねじ山部分（１）の壁は複数の窪み（２、３）を有し、管状のねじ山部分（１）がその外壁における骨ねじ山（４）を有し、かつ先端部（１２）が自己切削先端部として構成されることを特徴とする、骨ねじ。
【請求項６】
少なくとも一方端におけるねじ山部分は、ヘッド（８）または先端部（６、１２）をねじ込むための内側ねじ山部分を有することを特徴とする、請求項５に記載の骨ねじ。
【請求項７】
管として構成されるねじ山部分（１）と、第１の端部における先端部（１２）と、反対側の第２の端部においてねじ回しと係合するためのヘッド（８）とを有する骨ねじであって、ねじ山部分（１）の壁は複数の窪み（２、３）を有し、管状のねじ山部分（１）がその外壁における骨ねじ山（４）を有し、かつヘッド（８）および／または先端部（６、１２）がねじ山部分（１）の端部にぴったり嵌合するように挿入され得るように寸法取りされることを特徴とする、骨ねじ。
【請求項８】
先端部（１２）は自己切削先端部として構成されることを特徴とする、請求項７に記載の骨ねじ。
【発明の詳細な説明】
【０００１】
この発明は、ねじ山部分と、第１の端部における先端部と、反対側の第２の端部においてねじ回しと係合するためのヘッドとを有する骨ねじに関する。
【０００２】
ＥＰ−Ａ−０　６８２　９１７号からは中空の円筒形のピンが公知であり、それは先端部から離れて開始する外側の骨ねじ山を有し、またその外側のケーシングにおいて窪むことによって骨の組込みを可能にする。この装置は、予め作成する必要のあるあけられた孔の中にのみねじ込みが可能である態様で構成される。
【０００３】
ＷＯ９７／３７６０３号からは骨ねじが公知であり、そのシャンクは成長のために孔あけによって作られた複数の穿孔を有する。
【０００４】
ＵＳ−６，０４８，３４３号からは、面取りした骨ねじを有する骨ねじシステムが公知である。
【０００５】
この発明の目的は、最初に説明した種類の骨ねじを改善することである。
この目的は、管状のねじ山部分がその外壁における骨ねじ山と、少なくとも一方端においてヘッドまたは先端部をねじ込むための内側ねじ山部分とを有する骨ねじによって達成される。これは、さまざまなヘッドまたは先端部をねじ込むことができるような大きな変動性を生じる。
【０００６】
さらなる発展に従うと、内側ねじ山はねじ山部分の全体の長さにわたって延在する。この態様で、ねじ山部分をインサイチューにおいて短くしてあらゆる所望の長さにできるという利点が得られるため、ここでも変動性が増加する。
【０００７】
別の解決策に従うと、骨ねじは、管状のねじ山部分がその外壁に骨ねじ山を有し、かつその先端が自己切削先端部として構成されることを特徴とする。これは、ねじを収容するために最初にボアを作る必要性をなくす。さらなる解決策は、管状のねじ山部分がその外壁に骨ねじ山を有し、かつヘッドおよび／または先端部がねじ山部分の端部にぴったりと嵌合するよう挿入され得るように寸法取りされることを特徴とする。ここでも、ねじ山部分をインサイチューにおいて短くして所望の長さにできれば挿入の態様の変動性が増加し、所望の種類のヘッドまたは先端部を挿入できる。
【０００８】
この発明のさらなる発展形は従属請求項において特徴付けられる。
この発明のさらなる特徴および利点は、図面を用いた実施例の説明から生じる。
【０００９】
図１に最もよく示されるとおり、骨ねじは管状のねじ山部分１を有する。これはその壁に複数の窪み２を有し、それはここに示す実施例においては菱形として構築される。ここでの菱形の整列は、各々の場合において一方の対称軸が管の対称軸と平行に延在するような態様で行なわれる。窪み２の第１の組は、円周方向において互いにずれている。軸方向に見て隣接して、窪み３のさらなる組が続き、それは円周方向に見て同じ距離にあるが、それらは各々の場合において、軸方向に見たときに第２の組３の開口部が先行する組２の２つの開口部の間に位置するように配置される。このパターンは表面全体にわたって続く。開口部は菱形として構成されることが好ましいが、その他の実施例に従うと、その他の形の開口部、特に丸い開口部を設けることができる。
【００１０】
外壁にはいわゆる骨ねじ山４が設けられ、その形は通常の骨ねじに対応する。骨ねじ山は図４に詳細に示される。
【００１１】
骨ねじは、管の一方端に取付けられた先端部６をさらに含む。この先端部は、実際の先端部分とシャンク７とを含む。ここに示す実施例において、シャンク７はメートル外側ねじ山を有する。管状のねじ山部分１はその内壁に対応するメートル内側ねじ山を有し、先端部と管とは、図２に見られる態様で先端部をねじ込むことによって互いに固く接続される。この２つのメートルねじ山は、骨ねじ山４の右ねじ山傾斜に対する左ねじ山として構成される。
【００１２】
骨ねじはヘッド８をさらに含み、これは図１に最もよく示されるとおり、スリットまたは内部六角形を有する実際のヘッド部分９と、ねじ山シャンク１１とを有する。ねじ山部分１を形成する管はその関連する端部に、ねじ山シャンク１１のねじ山に適合するメートル内側ねじ山を有する。ねじ山シャンク１１と内側ねじ山との２つの協調するねじ山もまた、左ねじ山として構成されることが好ましい。ヘッド８は、図２に示される態様でねじ山部分１に固くねじ込まれる。
【００１３】
図３に示される実施例は、先端部１２が自己切削先端部として構成されるところが第１に説明した実施例と異なる。この実施例および第１の実施例においても、先端部は各々の場合において図面に示される態様で丸くされる。
【００１４】
前述の実施例において、先端部とヘッドとがねじ込まれる。メートル内側ねじ山は各々の場合において、ヘッドと先端部とをねじ込み得る態様で、２つの端部にわたって延在する。
【００１５】
好ましい実施例に従うと、内側ねじ山はねじ山部分の全体の長さにわたって延在する。このことは、管をあらゆる長さに切断できるために、所望の長さのねじを生産できるので、貯蔵量をかなり減少できるという利点を有する。
【００１６】
代替的な実施例に従うと、ねじ山部分１の内壁とそれぞれのシャンク７および１１とはそれぞれのねじ山なしで構成され、それらの寸法は、先端部およびヘッドが固く接続されてねじ山部分１にぴったり嵌合するような態様で定められる。
【００１７】
代替的には、ねじ山は一方端に設けられてもよく、関連する素子、言い換えると先端部またはヘッドは、対応するねじ山を有してねじ込まれることができてもよく、したがってこの端部においても管を予め定められた長さに切ることが可能であり、また他方の素子、言い換えるとヘッドまたは先端部は、ぴったりと嵌合するように取付けられてもよい。
【００１８】
骨ねじを形成する部品はチタンで作られることが好ましい。
先端部およびヘッドをねじ込み得ることはまた、骨材料またはその他の成長促進材料をこのように形成されたねじの空洞部に充填することによって、治癒プロセスを大きく促進できるという利点を生じる。
【図面の簡単な説明】
【図１】分解図を例示する図である。
【図２】第１の実施例の組立てられたねじを示す図である。
【図３】第２の実施例の組立てられたねじを示す図である。
【図４】図１の詳細を拡大して示す図である。
【図５】図１の詳細を拡大して示す断面図である。
【国際公開パンフレット】
2004512895.tif 000003
2004512895.tif 000004
2004512895.tif 000005
2004512895.tif 000006
2004512895.tif 000007
2004512895.tif 000008
2004512895.tif 000009
2004512895.tif 000010
2004512895.tif 000011
2004512895.tif 000012
2004512895.tif 000013
2004512895.tif 000014
2004512895.tif 000015
【国際公開パンフレット（コレクトバージョン）】
2004512895.tif 000016
2004512895.tif 000017
【国際調査報告】
2004512895.tif 000018
2004512895.tif 000019
2004512895.tif 000020
2004512895.tif 000021
2004512895.tif 000022
2004512895.tif 000023
2004512895.tif 000024
2004512895.tif 000025